(57)【要約】【課題】吸込グリル２０で前面パネル１１の側面まで覆い吸込グリル２０を開ける指掛け部３０を吸込グリル２０の側面部２２に設けた空気調和機の室内機において、指掛け部３０が目立ちにくいことで意匠性を損ねずに、且つ金型費用も抑えられるものとする。【解決手段】指掛け部は指当て用凹部３１と、指当て用凹部３１の前端に設けられた凸リブ部３２とからなり、指当て用凹部３１は側面部２２から傾斜しながら凸リブ部３２の根元３３に繋がる凹状であり、その深さ３１ｃが吸込グリル２０の板厚２０ａの１／２であり、凸リブ部３２は側面部２２から外側に向かって立設したリブであり、指当て用凹部３１側は根元３３から真っ直ぐに立ち上がった壁３４であり、壁３２の深さ３４ａは２ｍｍ以上となる。【選択図】図５
2017133738.tif 000002
【特許請求の範囲】
【請求項１】
筺体の外郭を覆う前面パネルと、前記前面パネルの前面と左右側面までを覆う開閉可能な吸込グリルを有する空気調和機の室内機において、
前記吸込グリルの側面部の前方下部には、前記吸込グリルを開けるための指掛け部が設けられ、前記指掛け部は指当て用凹部と、前記指当て用凹部の前端に設けられた凸リブ部を有することを特徴とする空気調和機の室内機。
【請求項２】
前記指当て用凹部は前記側面部から前記凸リブ部の根元に向かって徐々に凹こみ、その深さが前記吸込グリルの板厚の１／２となることを特徴とする請求項１に記載の空気調和機の室内機。
【請求項３】
前前記凸リブ部は前記側面部から外側に向かって立設したリブであり、前記指当て用凹部側は前記根元から真っ直ぐに立ち上がった壁であり、前記壁の深さは２ｍｍ以上となることを特徴とする請求項１または２に記載の空気調和機の室内機。
【発明の詳細な説明】
【技術分野】
【０００１】
本発明は空気調和機の室内機の吸込グリルの構造に関する。
【背景技術】
【０００２】
空気調和機の室内機は、筐体の外郭が前面パネルで覆われており、前面パネルの前面側には開閉可能な吸込グリルが取り付けられている。この吸込グリルを開けることで、前面パネルの中に備えたフィルターの着脱が可能となる。
【０００３】
吸込グリルと前面パネルは側面の前方側に互いの部品の合わせ目があり、この合わせ目には吸込グリルを開く時に指を掛けられる指掛け部が設けられている。指掛け部は例えば特許文献１のように吸込グリルの下端に設けた突出したツマミ部であり、また特許文献２のように前面パネルに設けた凹部である。
【先行技術文献】
【特許文献】
【０００４】
【特許文献１】特開２００６−９７９７９号公報（図１）
【特許文献２】登録意匠１４３６５７１号公報
【発明の概要】
【発明が解決しようとする課題】
【０００５】
近年の空気調和機の室内機は、前面から側面に掛けてスッキリとした意匠に見せるため平らな表面を備えた吸込グリルで前面パネルの側面まで覆うものがある。この場合、従来のように吸込グリルと前面パネルの部品の合わせ目に指掛け部を設けようとしても後方に位置することで指が届きにくくなる。
【０００６】
そこで吸込グリルの側面に指掛け部を設ける必要があるが、指を掛けるには例えば２ｍｍ以上の段差が必要となる。しかし、平らな表面を備えた吸込グリルの面に２ｍｍ突出したツマミ部を設けると目立つものとなりスッキリとした意匠を損ねることになる。
【０００７】
また、吸込グリルは樹脂製で例えばその板厚は約２ｍｍであるが、その板厚の部分に指を掛けるための２ｍｍの凹部を設けるためには裏側に樹脂を盛らないといけないが、その部分を成形するためにスライド金型を用いる必要が生じることにより、金型費用が高くなる。
【０００８】
本発明は以上述べた問題点を解決し、吸込グリルで前面パネルの側面まで覆い吸込グリルを開ける指掛け部を吸込グリルの側面に設けた空気調和機の室内機において、指掛け部を目立ちにくくすることで意匠性を損ねずに、且つ金型費用も抑える指掛け部を提供するものである。
【課題を解決するための手段】
【０００９】
上述した課題を解決するために本発明は、筺体の外郭を覆う前面パネルと、前記前面パネルの前面と左右側面までを覆う開閉可能な吸込グリルを有する空気調和機の室内機において、前記吸込グリルの側面部の前方下部には、前記吸込グリルを開けるための指掛け部が設けられ、前記指掛け部は指当て用凹部と、前記指当て用凹部の前端に設けられた凸リブ部を有することを特徴とする。
【００１０】
また、前記指当て用凹部は前記側面部から前記凸リブ部の根元に向かって徐々に凹こみ、その深さが前記吸込グリルの板厚の１／２となることも含まれる。
【００１１】
さらに、前記凸リブ部は前記側面部から外側に向かって立設したリブであり、前記指当て用凹部側は前記根元から真っ直ぐに立ち上がった壁であり、前記壁の深さは２ｍｍ以上となることも含まれる。
【発明の効果】
【００１２】
上記のように構成した本発明の空気調和機の室内機は、吸込グリルを開ける指掛け部が、指当て用凹部と前記指当て用凹部の前端に設けられた凸リブ部とからなることで、指掛け部が目立ちにくくなり意匠性を損ねずに、且つ金型費用も抑えられるものとなる。
【図面の簡単な説明】
【００１３】
【図１】本発明の空気調和機の室内機を下方から見た斜視図である。
【図２】本発明の空気調和機の室内機を上方から見た斜視図である。
【図３】本発明の空気調和機の室内機の右側面図である。
【図４】吸込グリルを開ける状態を示す図である。
【図５】図３のＡ−Ａ部分拡大断面図である。
【図６】吸込グリルの指掛け部の拡大斜視図である。
【図７】吸込グリルを開ける状態を示す図である。
【図８】吸込グリルを開ける状態を示す断面図である。
【発明を実施するための形態】
【００１４】
以下、本発明を実施するための形態を、添付図面に基づいた実施例として詳細に説明する。
【実施例】
【００１５】
本発明に係わる空気調和機は、屋外に設置される室外機（図示なし）と、空調室内に設置される室内機１とが冷媒配管を介して接続されて冷凍サイクルを構成する。なお、室内機１の内部構造の具体的な構成や仕様については、本発明において任意的事項であり、その説明は省略する。
【００１６】
図１は空気調和機の室内機１を下方から見た斜視図で、図２は空気調和機の室内機１を上方から見た斜視図で、図３は右側面図である。なお、図１における室内機１に沿わした座標軸において、Ｙ方向を上面または上方、−Ｙ方向を下面または下方、Ｚ方向を前面または前方、−Ｚ方向を背面または後方、Ｘ方向を右側面または右方、−Ｚ方向を左側面または左方として以下説明する。各部品においても同様である。
【００１７】
室内機１の筐体１０の外郭は、背面以外の左右側面と上面と下面と前面の一部を覆う前面パネル１１で覆われる。前面パネル１１は左右方向に長い直方体であり上面の一部が開口されて吸込口１２となる。吸込口１２は波形の桟１３で補強されている。前面パネル１１の前面と下面の角部には傾斜面１１ａが設けられ、この傾斜面１１ａの一部が開口され吹出口１４となる。吹出口１４は運転停止時には風向板１５で閉塞される。この風向板１５は運転時には回動して筐体１０内部から吹き出された気流を空調室内に送風する。前面パネル１１の吹出口１４の右隣りにはＬＥＤの発光で運転状態を知らせる表示部１６と図示しないリモコンからの赤外線を受信する受光部１７を備える。
【００１８】
吸込口１２に合わせ前面パネル１１の内部にはフィルター１９が取り付けられている。また、前面パネル１１の前面には開閉可能な吸込グリル２０が取り付けられている。吸込グリル２０は、平らな表面を備えた形状で前面パネル１１の前面を覆う前面部２１と、前面部２１から左右側面まで回り込んだ側面部２２を有する。
【００１９】
なお、本実施例では右側面についてのみ説明するが左側面も右側面の対称となる形状を備えるものである。
【００２０】
前面パネル１１は上面の前方左右端にそれぞれアーム受部１８を有する。図４を合わせて参照して吸込グリル２０におけるアーム受部１８の対面にはアーム２３を有する。後述する指掛け部３０に指を掛けて吸込グリル２０を前方に移動するとアーム受部１８に軸支されたアームが回転の支点となり、吸込グリル２０を持ち上げることができる。吸込グリル２０を持ち上げるとフィルター１９が外せるようになり、フィルター１９を外して清掃することができる。
【００２１】
なお図示しないが吸込グリル２０の前面部２１の裏面にはラッチがあり、前面パネル１１の前面にはラッチに対向する位置にラッチ受けがある。開いた吸込グリル２０を降ろしてラッチ部分を手で押すとラッチがラッチ受けにロックされて吸込グリル２０を固定することができる。
【００２２】
図５を合わせて参照して吸込グリル２０はポリスチレン等の樹脂製であり、側面部２２には前面から背面に掛けて外側に傾斜する金型の抜き勾配３度以上の勾配が設けられている。なお本実施例の勾配Ｒ１は約７度となっている。また吸込グリル２の板厚２０ａは約２ｍｍで形成されている。
【００２３】
そして吸込グリル２０を開けるための指掛け部３０が側面部２２の前方下部に設けられている。図６を合わせて参照して指掛け部３０は幅３１ａが約１１ｍｍ、上下の高さ３１ｂが約２７ｍｍの指当て用凹部３１と、指当て用凹部３１の前端に上下の高さ３１ｂに揃えて設けられた凸リブ部３２とを有する。
【００２４】
指当て用凹部３１は側面部２２から凸リブ部３２の根元３３に向かって緩やかに傾斜して徐々に凹む傾斜部３１１と、凸リブ部３２の根元３３に繋がる深さ３１ｃの凹み部３１２を有する凹状であり、その凹み部３１２の深さ３１ｃは吸込グリル２０の板厚２０ａの１／２となる。本実施例では吸込グリル２０の板厚２０ａが約２ｍｍであることから凹み部３１２の深さ３１ｃは約１ｍｍとなる。
【００２５】
凸リブ部３２は側面部２２から外側に向かって立設したリブであり、指当て用凹部３１側は根元３３から真っ直ぐに立ち上がった壁３４である。壁３４の深さ３４ａは約２ｍｍ以上となる。指当て用凹部３１と凸リブ部３２との間に約２ｍｍ以上の壁３４による段差があれば十分に指を掛けることができる。本実施例では凹み部３１２の深さ３１ｃが約１ｍｍであることから側面部２２から凸リブ部３２先端までの深さ３２ａは約１ｍｍとなる。
【００２６】
また凸リブ部３２の幅３２ｂは約２ｍｍで後述する指の腹４２に食い込んで引っかかりやすくなっている。
【００２７】
吸込グリル２０を開けるときは、図７に示すように手４を吸込グリル２０の角に当て、吸込グリル２０の前面部２１に親指４０を沿わせ、人差指もしくは中指の指先４１を指掛け部３０に当てる。この時、図８に示すように指当て用凹部３１が指先４１の指の腹４２に合う形となっている。そして凸リブ部３２が指の腹４２に食い込むように引っかかる。この状態で手４を前方に引くと容易に吸込グリル２０を開くことができる。
【００２８】
図面では稜線を実線で表しているためクッキリとしているが、本発明を実施した場合は凸リブ部３２が約１ｍｍ突出し、指当て用凹部３１が約１ｍｍ凹むようになることで殆ど目立たないものとなっている。これにより側面部２２の平らな面に指掛け部３０を設けても目立ちにくく意匠性を損ねることはない。
【００２９】
また、指当て用凹部３１の凹み部３１２の深さ３１ｃが約１ｍｍであることから、吸込グリル２０の板厚２ｍｍの中で収まり、成形する際に外側部分の金型だけをスライド金型にすることで成形することができ、金型費用も抑えることができる。
【符号の説明】
【００３０】
１：空気調和機の室内機、１１：前面パネル、１２：吸込口、１４：吹出口、１９：フィルター
２０：吸込グリル、２０ａ：板厚、２１：前面部、２２：側面部
３０：指掛け部、３１：指当て用凹部、３１１：傾斜部、３１２：凹み部、３１ｃ：深さ、３２：凸リブ部、３２ａ：深さ、３３：根元、３４：壁、３４ａ：深さ
４：手、４１：指先、４２：指の腹
【図１】
2017133738.tif 000003
【図２】
2017133738.tif 000004
【図３】
2017133738.tif 000005
【図４】
2017133738.tif 000006
【図５】
2017133738.tif 000007
【図６】
2017133738.tif 000008
【図７】
2017133738.tif 000009
【図８】
2017133738.tif 000010